(57)【要約】      （修正有）【課題】目地部を覆うスライド天井カバーのスライド移動によって揺れ動きを吸収し、揺れ動きが停止すると元の状態へ自動的に戻ることができる天井用目地カバー装置を得る。【解決手段】目地部２とは直角方向の天井側壁に固定された一端部が目地部の端部と同一面あるいは目地部側へわずかに突出する一方の固定天井カバー６と、この一方の固定天井カバー６と対応する部位の目地部２とは直角方向の天井側壁に一方の固定天井カバー６の一端部と目地部２を介して位置するように固定された他方の固定天井カバー７と、この他方の固定天井カバー７の一方の固定天井カバー側６に水平方向にスライド移動可能に取付けられた先端部が一方の固定天井カバー６の一端部と当接するスライド天井カバー９と、このスライド天井カバー９の先端部を常時一方の固定天井カバー６の一端部と当接させるように付勢する付勢機構１３とで天井用目地カバー装置を構成する。【選択図】図２
2008308902.tif 000002
【特許請求の範囲】
【請求項１】
目地部を介して設けられた左右の建物の、一方の建物の目地部とは直角方向の天井躯体あるいは天井側壁に固定された一端部が、該目地部の端部と同一面あるいは目地部側へわずかに突出する一方の固定天井カバーと、この一方の固定天井カバーと対応する部位の前記他方の建物の目地部とは直角方向の天井躯体あるいは天井側壁に、該一方の固定天井カバーの一端部と目地部を介して位置するように固定された他方の固定天井カバーと、この他方の固定天井カバーの前記一方の固定天井カバー側に水平方向にスライド移動可能に取付けられた先端部が、該一方の固定天井カバーの一端部と当接するスライド天井カバーと、このスライド天井カバーの先端部を常時前記一方の固定天井カバーの一端部と当接させるように付勢する付勢機構とからなることを特徴とする天井用目地カバー装置。
【発明の詳細な説明】
【技術分野】
【０００１】
本発明は目地部を介して設けられた左右の建物の目地部とは直角方向の天井部位を覆う天井用目地カバー装置に関する。
【背景技術】
【０００２】
従来、目地部を介して設けられた左右の建物の目地部とは直角方向の天井部位を覆う場合、左右の建物の一方の建物の天井躯体あるいは側壁に一方の天井カバーを固定するとともに、他方の建物の天井躯体あるいは側壁に他方の天井カバーを固定している。
【０００３】
このように構成された天井用目地カバーは、地震によって左右の建物が異なる左右方向へ揺れ動いた場合、一方の天井カバーと他方の天井カバーとが衝突して損傷するという欠点があった。
【特許文献１】特になし
【発明の開示】
【発明が解決しようとする課題】
【０００４】
本発明は以上のような従来の欠点に鑑み、左右の建物が異なる左右方向に揺れ動いた場合には、目地部を覆うスライド天井カバーのスライド移動によって、その揺れ動きを吸収し、異なる前後方向に揺れ動いた場合には、一方の固定天井カバーの一端部とスライド天井カバーの先端部がスライド移動して、その揺れ動きを吸収することができ、揺れ動きが停止すると元の状態へ自動的に戻ることができる天井用目地カバー装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は目地部を介して設けられた左右の建物の一方の建物の目地部とは直角方向の天井躯体あるいは天井側壁に固定された一端部が、該目地部の端部と同一面あるいは目地部側へわずかに突出する一方の固定天井カバーと、この一方の固定天井カバーと対応する部位の前記他方の建物の目地部とは直角方向の天井躯体あるいは天井側壁に、該一方の固定天井カバーの一端部と目地部を介して位置するように固定された他方の固定天井カバーと、この他方の固定天井カバーの前記一方の固定天井カバー側に水平方向にスライド移動可能に取付けられた先端部が、該一方の固定天井カバーの一端部と当接するスライド天井カバーと、このスライド天井カバーの先端部を常時前記一方の固定天井カバーの一端部と当接させるように付勢する付勢機構とで天井用目地カバー装置を構成している。
【発明の効果】
【０００７】
以上の説明から明らかなように、本発明にあっては次に列挙する効果が得られる。
【０００８】
（１）目地部を介して設けられた左右の建物の一方の建物の目地部とは直角方向の天井躯体あるいは天井側壁に固定された一端部が、該目地部の端部と同一面あるいは目地部側へわずかに突出する一方の固定天井カバーと、この一方の固定天井カバーと対応する部位の前記他方の建物の目地部とは直角方向の天井躯体あるいは天井側壁に、該一方の固定天井カバーの一端部と目地部を介して位置するように固定された他方の固定天井カバーと、この他方の固定天井カバーの前記一方の固定天井カバー側に水平方向にスライド移動可能に取付けられた先端部が、該一方の固定天井カバーの一端部と当接するスライド天井カバーと、このスライド天井カバーの先端部を常時前記一方の固定天井カバーの一端部と当接させるように付勢する付勢機構とで構成されているので、左右の建物が異なる左右方向へ揺れ動いた場合、スライド天井カバーの先端が一方の天井固定カバーの一端部と当接した状態でスライド移動し、その揺れ動きを吸収することができる。
また、左右の建物が異なる前後方向に揺れ動いた場合、一方の天井固定カバーの一端部とスライド天井カバーの先端部とがスライド移動して、その揺れ動きを吸収することができる。
したがって、地震によっての揺れ動きで、一方の天井固定カバーや他方の天井固定カバーが損傷するのを確実に防止することができる。
【０００９】
（２）前記（１）によって、他方の天井固定カバーの一方の天井固定カバー側にスライド天井カバーをスライド移動可能に取付ければよいので、構造が簡単で、容易に設置することができる。
【００１０】
（３）前記（１）によって、スライド天井カバーを他方の固定天井カバーにスライド移動可能に取付けるとともに、スライド天井カバーの先端部と一方の天井固定カバーの一端部とをスライド移動できるようにするだけでよく、容易に製造することができる。
【発明を実施するための最良の形態】
【００１１】
以下、図面に示す本発明を実施するための最良の形態により、本発明を詳細に説明する。
【００１２】
図１ないし図１０に示す本発明を実施するための最良の第１の形態において、１は目地部２を介して設けられた左右の建物３、３の、該目地部２とは直角方向の天井躯体あるいは天井側壁３ａ、３ａ部位に設置される本発明の天井用目地カバー装置で、この天井用目地カバー装置1は前記左右の建物３、３の一方の建物３の天井側壁３ａに吊りブラケット4を用いて固定された傾斜面５に形成された一端部が、該目地部の端部と同一面あるいは目地部側へわずかに突出する一方の固定天井カバー６と、この一方の固定天井カバー６と対応する部位の前記他方の建物３の天井側壁３ａに、該一方の固定天井カバー６の一端部と目地部２を介して位置するように複数個の吊りブラケット４、４を用いて固定されたリップミゾ形鋼形状の他方の固定天井カバー７と、この他方の固定天井カバー７の前記一方の固定天井カバー６側に水平方向にスライド移動可能に取付けられた先端部が、該一方の固定天井カバー６の傾斜面５と面接触できるような傾斜面８に形成されたスライド天井カバー９と、このスライド天井カバー９の傾斜面８の先端部を常時前記一方の固定天井カバー６の一端部の傾斜面５と常時当接するように付勢する、該スライド天井カバー９のほぼ中央後端部より後方へ突出するように設けられたガイド軸１０、このガイド軸１０をスライド移動可能に支持する前記他方の固定天井カバー７に固定された支持部材１１、この支持部材１１と前記スライド天井カバー９の後端部間の前記ガイド軸１０上に配置されたスライド天井カバー９を常時突出するように付勢する付勢スプリング１２とからなる付勢機構１３とで構成されている。
なお、１４は壁用カバー装置、１５、１６は天井材である。
【００１３】
上記構成の天井用目地カバー装置１は通常時は図２に示すように、スライド天井カバー９は付勢機構１３の付勢スプリング１２によって、一方の固定天井カバー６の一端部の傾斜面５に先端部の傾斜面８が当接するように付勢され、一方の固定天井カバー６、スライド天井カバー９、他方の固定天井カバー７で覆われた状態となっている。
【００１４】
地震によって左右の建物３、３が異なる左右方向に揺れ動いた場合、図８に示すように目地部２が広くなると、スライド天井カバー９は付勢機構１３の付勢スプリング１２の付勢力によって他方の固定天井カバー７より突出して、その揺れ動きを吸収し、目地部２が狭くなると図９に示すように、一方の固定天井カバー６でスライド天井カバー９を付勢スプリング１２の付勢力に抗して押し付け、他方の固定天井カバー７内へスライド移動させて、その揺れ動きを吸収し、揺れ動きが停止すると元の状態に自動的に戻る。
【００１５】
地震によって左右の建物３、３が異なる前後方向に揺れ動いた場合、図１０に示すように一方の固定天井カバー６とスライド天井カバー９との当接面で前後方向にスライド移動し、その揺れ動きを吸収し、揺れ動きが停止すると自動的に元の状態へ戻る。
[発明を実施するための異なる形態]
【００１６】
次に、図１１ないし図１６に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１７】
図１１ないし図１３に示す本発明を実施するための第２の形態において、前記本発明を実施するための最良の第１の形態と主に異なる点は、一端部がほぼ垂直面１７に形成され、該一端部が目地部２の端部２ａと同一面となるように一方の建物３の天井側壁３ａに固定した一方の固定天井カバー６Ａと、この一方の固定天井カバー６Ａの一端部と当接する先端部がほぼ垂直面１８に形成されたスライド天井カバー９Ａを用いた点で、このような一方の固定天井カバー６Ａやスライド天井カバー９Ａを用いて構成した天井用目地カバー装置１Ａにしても、前記本発明を実施するための最良の第１の形態と同様な作用効果が得られる。
【００１８】
図１４ないし図１６に示す本発明を実施するための第３の形態において、前記本発明を実施するための最良の第１の形態と主に異なる点は、他方の固定天井カバー７の先端部にスライド天井カバー９がスライド移動可能に取付けられた支持板１９と、該スライド天井カバー９の後端部との間に引張スプリング２０を用いた付勢機構１３Ａを用いた点で、このような付勢機構１３Ａを用いて構成した天井用目地カバー装置１Ｂにしても、前記本発明を実施するための最良の第１の形態と同様な作用効果が得られる。
【産業上の利用可能性】
【００１９】
本発明は天井用目地カバー装置を製造する産業で利用される。
【図面の簡単な説明】
【００２０】
【図１】本発明を実施するための最良の第１の形態の正面図。
【図２】図１の２−２線に沿う断面図。
【図３】図１の３−３線に沿う断面図。
【図４】本発明を実施するための最良の第１の形態の一方の固定天井カバーの説明図。
【図５】本発明を実施するための最良の第１の形態の他方の固定天井カバーの説明図。
【図６】本発明を実施するための最良の第１の形態のスライド天井カバーの説明図。
【図７】本発明を実施するための最良の第１の形態の付勢機構の説明図。
【図８】本発明を実施するための最良の第１の形態の目地部が広くなった状態の動作説明図。
【図９】本発明を実施するための最良の第１の形態の目地部が狭くなった状態の動作説明図。
【図１０】本発明を実施するための最良の第１の形態の異なる前後方向の動作説明図。
【図１１】本発明を実施するための第２の形態の正面図。
【図１２】図１１の１２−１２線に沿う断面図。
【図１３】本発明を実施するための第２の形態の一方の固定天井カバーとスライド天井カバーの設置状態の説明図。
【図１４】本発明を実施するための第３の形態の正面図。
【図１５】図１４の１５−１５線に沿う断面図。
【図１６】本発明を実施するための第３の形態の付勢機構の説明図。
【符号の説明】
【００２１】
１、１Ａ、１Ｂ：天井用目地カバー装置、
２：目地部、                                                ３：建物、
３ａ：天井側壁、                                      ４：吊りブラケット、        
５：傾斜面、                                                ６、６Ａ：一方の固定天井カバー、
７：他方の固定天井カバー、        ８：傾斜面、
９、９Ａ：スライド天井カバー、１０：ガイド軸、
１１：支持部材、                            １２：付勢スプリング、
１３、１３Ａ：付勢機構、                        １４：壁用カバー装置、
１５、１６：天井材、                    １７：垂直面、
１８：垂直面、                                １９：支持板、
２０：引張スプリング。
【図１】
2008308902.tif 000003
【図２】
2008308902.tif 000004
【図３】
2008308902.tif 000005
【図４】
2008308902.tif 000006
【図５】
2008308902.tif 000007
【図６】
2008308902.tif 000008
【図７】
2008308902.tif 000009
【図８】
2008308902.tif 000010
【図９】
2008308902.tif 000011
【図１０】
2008308902.tif 000012
【図１１】
2008308902.tif 000013
【図１２】
2008308902.tif 000014
【図１３】
2008308902.tif 000015
【図１４】
2008308902.tif 000016
【図１５】
2008308902.tif 000017
【図１６】
2008308902.tif 000018